(57)【要約】【課題】プロテクタ本体と蓋とのロック結合時にプロテクタ本体に通すワイヤハーネスの電線群のうち、プロテクタ本体からはみ出した電線をプロテクタ本体内に誘い込む。【解決手段】自動車に配索するワイヤハーネスを挿通するプロテクタであって、上記プロテクタは底壁部と側壁部とからなる樋形状のプロテクタ本体と該プロテクタ本体の上面開口を閉鎖する蓋とからなり、該プロテクタ本体の側壁部の上部からはみ出し電線誘い込み用のリブを突設し、該リブは上端が上記側壁部の上端面よりも上方に位置すると共に、その上端から上記プロテクタ本体内に向けて傾斜する傾斜面を備えており、上記蓋には上記リブに対向する位置に切欠を設け、該蓋によるプロテクタ本体の上面開口の閉鎖時に、リブの傾斜面上に位置する電線に蓋の内面を押し当てることにより、電線をリブ上を滑らせてプロテクタ本体内に誘い込んでいる。【選択図】  図２
2004159442.tif 000002
【特許請求の範囲】
【請求項１】
底壁部と側壁部とからなる樋形状のプロテクタ本体と該プロテクタ本体の上面開口を閉鎖する蓋とからなり、上記プロテクタ本体内に自動車に配索するワイヤハーネスを挿通した後に上記蓋を閉じるプロテクタにおいて、
上記プロテクタ本体の側壁部の一部には、その上部からはみ出し電線誘い込み用のリブを突設し、該リブは上端が上記側壁部の上端面よりも上方に位置すると共に、その上端から上記プロテクタ本体内に向けて傾斜する傾斜面を設ける一方、上記蓋には上記リブと対応する位置に切欠を設け、該切欠を上記リブに沿わせながら蓋が閉鎖し、上記ワイヤハーネスを構成する電線の一部が上記リブの傾斜面上のはみ出ている場合に、上記蓋の内面を該電線に押し当てて上記リブ上を滑らせてプロテクタ本体内に誘い込む構成としているワイヤハーネス用プロテクタ。
【請求項２】
上記リブの傾斜面は直線状または円弧状としている請求項１に記載のワイヤハーネス用プロテクタ。
【請求項３】
上記リブの上端が上記プロテクタ本体の側壁部の外面と同一線状あるいは該側壁部の外面よりも若干外側に位置している請求項１または請求項２に記載のワイヤハーネス用プロテクタ。
【請求項４】
上記プロテクタと上記蓋とをロック結合するロック部の両側近傍に上記リブを設けている請求項１乃至請求項３のいずれか１項に記載のワイヤハーネス用プロテクタ。
【発明の詳細な説明】
【０００１】
【発明が属する技術分野】
本発明は、ワイヤハーネス用プロテクタに関し、詳しくは、蓋によるプロテクタの閉鎖と同時に、プロテクタの外部にはみ出る電線をプロテクタ内に誘い込み、電線のかみ込みを防止するものである。
【０００２】
【従来の技術】
従来、自動車に配索するワイヤハーネスを挿通するプロテクタにおいて、図５に示すように、樋形状のプロテクタ本体２とプロテクタ本体２の上面開口を閉鎖する蓋３とからなるプロテクタ１は、プロテクタ本体２の側壁外面に突設するロック枠２ａに蓋３に突設するロック片３ａを挿入係止することにより、プロテクタ本体２と蓋３とをロック結合している。
【０００３】
【特許文献１】
特開２０００−０３２６２８号公報
【０００４】
【発明が解決しようとする課題】
しかしながら、上記構成のプロテクタ１では、プロテクタ１内に挿通するワイヤハーネスの一部の電線がプロテクタ本体２からはみ出ていると、はみ出したワイヤハーネスを作業員が手でプロテクタ本体２内に戻しながらプロテクタ本体２と蓋３のロック作業を行わなければならず、作業効率が悪いという問題がある。また、電線がプロテクタ本体２からはみ出した状態のままプロテクタ本体２と蓋３をロック結合をすると、プロテクタ本体２と蓋３により電線がかみ込まれて損傷を受ける問題がある。
【０００５】
本発明は上記問題に鑑みてなされたものであり、プロテクタ本体と蓋とのロック結合時にプロテクタ本体からはみ出した電線をプロテクタ本体内に誘い込んでロック作業を容易にすると共に、電線のかみ込みによる損傷を防止することを課題としている。
【０００６】
【課題を解決するための手段】
上記課題を解決するため、本発明は、底壁部と側壁部とからなる樋形状のプロテクタ本体と該プロテクタ本体の上面開口を閉鎖する蓋とからなり、上記プロテクタ本体内に自動車に配索するワイヤハーネスを挿通した後に上記蓋を閉じるプロテクタにおいて、
上記プロテクタ本体の側壁部の一部には、その上部からはみ出し電線誘い込み用のリブを突設し、該リブは上端が上記側壁部の上端面よりも上方に位置すると共に、その上端から上記プロテクタ本体内に向けて傾斜する傾斜面を設ける一方、上記蓋には上記リブと対応する位置に切欠を設け、該切欠を上記リブに沿わせながら蓋が閉鎖し、上記ワイヤハーネスを構成する電線の一部が上記リブの傾斜面上のはみ出ている場合に、上記蓋の内面を該電線に押し当てて上記リブ上を滑らせてプロテクタ本体内に誘い込む構成としているワイヤハーネス用プロテクタを提供している。
【０００７】
上記はみ出し電線誘い込み用のリブの傾斜面は、上端から上記プロテクタ本体内に向けて傾斜する直線状でもよいし、円弧状としてもよい。該リブは三角形状の外形を呈し、傾斜面と反対面は直線面として外方への突出量を少なくしている。
【０００８】
上記構成とすると、ワイヤハーネスを挿通したプロテクタ本体の上面開口を蓋により閉鎖する際、プロテクタ本体に通すワイヤハーネスの電線群のうち、一部の電線がプロテクタ本体よりはみ出て、リブの傾斜面上あるいは傾斜面の上方に位置すると、蓋の閉鎖時に蓋がリブ上に当たることで、はみ出した電線をプロテクタ本体内に誘い込んでいく。よって、電線がプロテクタ本体と蓋の間にかみ込まれることを防止できる。また、はみ出している電線を作業員が手で直しながらプロテクタ本体と蓋とのロック作業を行う必要がないので、作業効率を向上することができる。
【０００９】
上記リブの上端は上記プロテクタ本体の側壁部の外面と同一線上あるいは、それより若干外側に位置させてもよい。
上記構成とすると、プロテクタ本体の側壁部よりも外側にはみ出した電線も、蓋閉鎖時に、はみ出し前の部分が蓋と当たるため、はみ出し部分をリブの傾斜面へ誘いこみ、該傾斜面を滑らせてプロテクタ本体内に収容することができる。
【００１０】
上記リブはプロテクタ本体と上記蓋とをロック結合するロック部の両側近傍に設けることが好ましい。
上記構成とすると、最も押圧力のかかるロック部近傍において、プロテクタ本体と蓋によるワイヤハーネスのかみ込みを防ぐことができるので、電線の損傷を防止することができる。
【００１１】
【発明の実施の形態】
以下、本発明の実施の形態を図面を参照して説明する。
図１及び図２は本発明の実施形態を示し、プロテクタ１０はプロテクタ本体１１と該プロテクタ本体１１に薄肉ヒンジ１３を介して一体成形している蓋１２とからなる。
【００１２】
上記プロテクタ本体１１は、底壁部１１ａと側壁部１１ｂ、１１ｃからなる樋形状である。プロテクタ本体１１の一方の側壁部１１ｂの外面１１ｂ−１にロック枠１１ｄを突設すると共に、該ロック枠１１ｄの両側近傍に、はみ出し電線誘い込み用のリブ１１ｅを突設している。該リブ１１ｅは側壁部１１ｂから上方及びプロテクタ本体１１内側に突出する略三角形状であり、リブ１１ｅの上端１１ｅ−１は側壁部１１ｂの上端面１１ｂ−２よりも上方に位置すると共に、側壁部１１ｂの外面１１ｂ−１と同一面上に位置している。また、リブ１１ｅは上端１１ｅ−１からプロテクタ本体１１内に向けて傾斜する傾斜面１１ｅ−２を備えている。
【００１３】
また、プロテクタ本体１１の他方の側壁部１１ｃの上端には、薄肉ヒンジ１３を介してプロテクタ本体１１の上面開口を閉鎖する蓋１２を一体成形している。該蓋１２には、プロテクタ本体１１に設けたロック枠１１ｄに対向する位置にロック片１２ａを突設し、該ロック片１２ａの先端にプロテクタ本体１１のロック枠１１ｄに係止するロック爪１２ａ−１を設けている。また、蓋１２に、プロテクタ本体１１のリブ１１ｅに対向する位置に切欠１２ｂを設けて、プロテクタ本体１１と蓋１２とをロック結合するときに、プロテクタ本体１１に突設するリブ１１ｅが蓋１２の切欠１２ｂに挿入されて、リブ１１ｅと蓋１２とが当接しないようにしている。
【００１４】
図２は、プロテクタ本体１１と蓋１２とのロック結合過程を示す。
プロテクタ本体１１内にワイヤハーネスＷ／Ｈを挿通した後、図２（Ａ）に示すように、プロテクタ本体１１に薄肉ヒンジ１３を介して一体成形している蓋１２を上記薄肉ヒンジ１３を支点として回動させてプロテクタ本体１１の上面開口を閉鎖する。其の際、図２（Ｂ）に示すように、プロテクタ本体１１のリブ１１ｅが蓋１２の切欠１２ｂに挿入されると共に、リブ１１ｅの傾斜面１１ｅ−２上に位置するはみ出した電線ｗに蓋１２の内面が当接する。続けて、蓋１２をプロテクタ本体１１側に回動していくと、蓋１２が電線Ｗを押していき、リブ１１ｅ上を滑らせてプロテクタ本体１１内に誘い込むと共に、蓋１２のロック爪１２ａ−１がプロテクタ本体１１のロック枠１１ｄに係止されて、プロテクタ本体１１と蓋１２とがロック結合される。
【００１５】
上記構成とすると、ワイヤハーネスＷ／Ｈを挿通したプロテクタ本体１１の上面開口を蓋１２により閉鎖する際、プロテクタ本体１１のリブ１１ｅの傾斜面１１ｅ−２上に位置する電線Ｗに蓋１２が当たり、この電線Ｗをプロテクタ本体１１内に押し込んでいくので、電線Ｗがプロテクタ本体１１と蓋１２によりかみ込まれることがなく、電線Ｗの損傷を防止することができる。また、はみ出している電線Ｗを作業員が手で直しながらプロテクタ本体１１と蓋１２とのロック結合作業を行う必要がないので、作業効率を向上することができる。
【００１６】
なお、プロテクタ本体と蓋とは、薄肉ヒンジを介した一体成型品に限らず、別体としてもよく、この場合には、上記リブを両側壁に設けることが好ましい。
【００１７】
図３は、上記実施形態の第１変形例を示し、プロテクタ本体１１の側壁部１１ｂに突設するリブ１１ｅ’の傾斜面１１ｅ−２’を円弧面としている。
なお、他の構成は上記実施形態と同様のため説明を省略する。
【００１８】
上記構成とした場合にも、上記実施形態と同様、プロテクタ本体１１と蓋１２とをロック結合する際に、リブ１１ｅ’上に位置するはみ出した電線Ｗがプロテクタ本体１１内に誘い込まれるので、電線Ｗの損傷を防止することができると共に、作業効率を向上することができる。
【００１９】
図４は、上記実施形態の第２変形例を示し、プロテクタ本体１１の側壁部１１ｂに突設するリブ１１ｅ”の上端１１ｅ−１”が側壁部１１ｂの外面１１ｂ−１よりも外側に位置している。
なお、他の構成は上記実施形態と同様のため説明を省略する。
【００２０】
上記構成とすると、プロテクタ本体１１の側壁部１１ｂの外面１１ｂ−１よりも外側にはみ出している電線Ｗであっても、リブ１１ｅ”の傾斜面１１ｅ−２”上にあればプロテクタ本体１１内に誘い込むことができる。
【００２１】
【発明の効果】
以上の説明より明らかなように、本発明によれば、ワイヤハーネスを挿通したプロテクタ本体の上面開口を蓋により閉鎖する際、リブの傾斜面上に位置する電線がはみ出していると、このはみ出した電線に蓋が当たり、この電線をプロテクタ内に押し込んでいくので、電線がプロテクタ本体と蓋によりかみ込まれることがなく、電線の損傷を防止することができる。
また、はみ出している電線を作業員が手で直しながらプロテクタ本体と蓋とのロック作業を行う必要がないので、作業効率を向上することができる。
【図面の簡単な説明】
【図１】本発明のプロテクタを示す斜視図である。
【図２】（Ａ）〜（Ｃ）はプロテクタ本体と蓋とのロック結合過程を示す図面である。
【図３】第１変形例を示す図面である。
【図４】第２変形例を示す図面である。
【図５】従来例を示す図面である。
【符号の説明】
１０  プロテクタ
１１  プロテクタ本体
１１ｄ  ロック枠
１１ｅ  リブ
１１ｅ−１  上端
１１ｅ−２  傾斜面
１２  蓋
１２ａ  ロック片
１２ｂ  切欠
【図１】
2004159442.tif 000003
【図２】
2004159442.tif 000004
【図３】
2004159442.tif 000005
【図４】
2004159442.tif 000006
【図５】
2004159442.tif 000007